(57)【要約】【課題】  玉受け部で受け止めた多量のパチンコ玉をスムーズに玉排出部へ誘導し、玉排出部からスムーズに排出できるパチンコ玉回収装置を提供する。【解決方法】  玉受け部１０には、玉排出部１１の上流側の区間の両側方にそれぞれ配置される２つの玉受け面１２ａ，１２ｂが設けられ、２つの玉受け面１２ａ，１２ｂは、玉排出部１１の側方及び上流端部１４に向けて下り傾斜して形成され、一方の玉受け面１２ａの下流端辺１３ａを他方の玉受け面１２ｂの下流端辺１３ｂよりも低い位置に形成したことにより、玉受け面１２ａ，他方の玉受け面１２ｂ及び玉排出部１１で受け止められたパチンコ玉は、それぞれの経路を経て玉排出部１１に誘導され、一列に整列されながら玉排出部１１の下流側に向けてスムーズに転動していくため、パチンコ玉を玉受け部１０からスムーズに玉排出部１１へ誘導させると共に、玉排出部１１からスムーズにパチンコ玉回収樋へ排出できる。【選択図】        図５
2005323713.tif 000002
【特許請求の範囲】
【請求項１】
パチンコ島台に設置されたパチンコ機等の後面側から排出されたパチンコ玉を受け入れる玉受け部と、該玉受け部で受け入れたパチンコ玉を一列で転動させて前記パチンコ島台内のパチンコ玉回収樋へ排出する玉排出部と、からなるパチンコ玉回収装置において、
前記玉受け部には、該玉受け部の底部を構成し且つ前記玉排出部の上流側の区間の両側方にそれぞれ配置される少なくとも２つの玉受け面が設けられ、
該２つの玉受け面は、前記玉排出部の側方に向けて下り傾斜し且つ前記玉排出部の上流端部に向けて下り傾斜して形成されると共に、一方の玉受け面に形成される前記玉排出部側の下流端辺を他方の玉受け面に形成される前記玉排出部側の下流端辺よりも低い位置に形成したことを特徴とするパチンコ玉回収装置。
【請求項２】
前記玉受け部は、平面視で円形状に形成されていることを特徴とする請求項１記載のパチンコ玉回収装置。
【請求項３】
前記玉排出部の底部を構成する底面は、下流側が勾配の緩やかな緩勾配区間として形成されると共に、前記緩勾配区間の上流側が前記緩勾配区間よりも勾配が急な急勾配区間として形成されていることを特徴とする請求項１又は請求項２に記載のパチンコ玉回収装置。
【請求項４】
前記玉受け部の円筒形状の外周壁の外周には、径の異なる複数の円筒形状の部材を同心円状に重ねることにより構成されると共にその中心軸方向に段階的に伸縮する伸縮カバーが、前記玉受け部と同心円状に設けられていることを特徴とする請求項２又は請求項３に記載のパチンコ玉回収装置。
【発明の詳細な説明】
【技術分野】
【０００１】
本発明は、パチンコ島台に設置されたパチンコ機等の後面側から排出されたパチンコ玉を受け入れる玉受け部と、該玉受け部で受け入れたパチンコ玉を一列で転動させて前記パチンコ島台内のパチンコ玉回収樋へ排出する玉排出部と、からなるパチンコ玉回収装置に関するものである。
【背景技術】
【０００２】
従来、パチンコ島台に設置されたパチンコ機（パチンコ玉を使用して遊技を行う遊技機という意味）の後面側から排出されるパチンコ玉を回収するパチンコ玉回収装置として、パチンコ玉を受け入れる部分である玉受け部が矩形（正方形を含む）状のものが多く用いられている（例えば、特許文献１）。しかして、パチンコ玉回収装置には、玉受け部内のパチンコ玉をパチンコ島台内のパチンコ玉回収樋へ排出するための玉排出部が形成されているが、例えば、玉受け部と玉排出部とを一体成型し、部品点数を削減し、製造コストの削減を図った場合、上記したような矩形状の玉受け部を有するパチンコ玉回収装置においては、以下の二通りの方法が、玉排出部から排出されるパチンコ玉の排出先の位置を変更する方法として考えられる。
【０００３】
一つは、玉排出部の全長を伸縮する方法と、もう一つは、玉受け部の中心を回転軸として玉受け部と一体成型された玉排出部を回転させる方法とがある。前者は、玉排出部内を転動するパチンコ玉の転動距離が変化してしまうため、玉排出部の下流部で略垂直に落下させ、最終的にパチンコ玉回収樋へ排出する際にスムーズにパチンコ玉が落下する場合と落下し難い場合があった。一方、後者は、前者のような問題点は無いが、玉排出部の回転位置によって、玉受け部の角の部分と辺の部分とが入れ替わるように変化し、パチンコ機の後面側から排出されるパチンコ玉を受け止める範囲が変化してしまうため、例えば、玉排出部の回転位置を変更させる前は、パチンコ玉を受け止めることができても、変更後は、受け止めることができない場合があった。
【０００４】
そこで、本出願人は、玉受け部をその中心を回転軸として回転させた場合であっても、パチンコ玉を受け止める範囲を変化させることなく、玉排出部から排出されるパチンコ玉の排出先の位置を変更することができるよう、玉受け部を円筒形状に形成したパチンコ玉回収装置を提案した（例えば、特許文献２）。このような玉受け部が円筒形状に形成されているパチンコ玉回収装置は、上記のように、玉受け部をその中心を回転軸として回転させ、玉排出部の配置位置を変更させた場合であっても、パチンコ玉を受け止める範囲が変化することがないばかりでなく、パチンコ玉が玉受け部内を弧を描きながら転動するため玉排出部に導かれ易く、また、意匠性にも優れているという長所を有するものである。
【特許文献１】特開平８−２８０９２２号公報
【特許文献２】特開２００３−１８１１１３号公報
【発明の開示】
【発明が解決しようとする課題】
【０００５】
ところで、上記した特許文献２に開示されるパチンコ玉回収装置では、玉受け部で受け止めたパチンコ玉を玉排出部へ誘導する際、玉排出部の上流側で一列に整列させているが、その方法として玉排出部の上流側の両側面を下流側に向けて徐々に狭くし、最終的に玉排出部の内幅寸法をパチンコ玉が一個通過できる程度とすることにより、パチンコ玉を一列に整列させている。このような方法でパチンコ玉を一列にする場合、同一平面上にある少量のパチンコ玉（営業中のように、１分間に１００発程度のアウト玉）を一列に整列させる状況では問題ないが、例えば、パチンコ機の新台入替時等においてパチンコ機の賞球タンクからパチンコ玉を抜き取るときのように、多量のパチンコ玉を一度に玉受け部で受け止め、その多量のパチンコ玉が玉排出部に流入した場合にはやはり玉詰まりを起こしてしまうという問題があった。
【０００６】
そこで、本発明は、上記した事情に鑑みなされたもので、その目的とするところは、玉受け部で受け止めた多量のパチンコ玉をスムーズに玉排出部へ誘導させると共に、玉排出部からパチンコ玉をスムーズに排出できるパチンコ玉回収装置を提供することにある。
【課題を解決するための手段】
【０００７】
そこで、請求項１に係る発明について、図面を参照して説明すると、図１及び図２に示すように、パチンコ島台１に設置されたパチンコ機２の後面側から排出されたパチンコ玉を受け入れる玉受け部１０と、該玉受け部１０で受け入れたパチンコ玉を一列で転動させて前記パチンコ島台１内のパチンコ玉回収樋へ排出する玉排出部１１と、からなるパチンコ玉回収装置５において、前記玉受け部１０には、該玉受け部１０の底部を構成し且つ前記玉排出部１１の上流側の区間の両側方にそれぞれ配置される少なくとも２つの玉受け面１２ａ，１２ｂが設けられ、該２つの玉受け面１２ａ，１２ｂは、前記玉排出部１１の側方に向けて下り傾斜し且つ前記玉排出部１１の上流端部１４に向けて下り傾斜して形成されると共に、一方の玉受け面１２ａに形成される前記玉排出部１１側の下流端辺１３ａを他方の玉受け面１２ｂに形成される前記玉排出部１１側の下流端辺１３ｂよりも低い位置に形成したことを特徴とするパチンコ玉回収装置５とした。
【０００８】
また、請求項２に係る発明では、図面を参照して説明すると、図３に示すように、請求項１に記載されるパチンコ玉回収装置５は、前記玉受け部１０は、平面視で円形状に形成されていることを特徴とするパチンコ玉回収装置５とした。
【０００９】
また、請求項３に係る発明では、図面を参照して説明すると、図３に示すように、請求項１又は請求項２に記載されるパチンコ玉回収装置５は、前記玉排出部１１の底部を構成する底面１７は、下流側が勾配の緩やかな緩勾配区間１９として形成されると共に、前記緩勾配区間１９の上流側が前記緩勾配区間１９よりも勾配が急な急勾配区間１８として形成されていることを特徴とするパチンコ玉回収装置５とした。
【００１０】
また、請求項４に係る発明では、図面を参照して説明すると、図６に示すように、請求項２又は請求項３に記載されるパチンコ玉回収装置５は、前記玉受け部１０の円筒形状の外周壁１５の外周には、径の異なる複数の円筒形状の部材を同心円状に重ねることにより構成されると共にその中心軸方向に段階的に伸縮する伸縮カバー１００が、前記玉受け部１０と同心円状に設けられていることを特徴とするパチンコ玉回収装置５とした。
【発明の効果】
【００１１】
請求項１に係る発明においては、玉受け部１０には、玉排出部１１の上流側の区間の両側方に位置する２つの玉受け面１２ａ，１２ｂが設けられ、この２つの玉受け面１２ａ，１２ｂは玉排出部１１の側方及び上流端部１４に向けて下り傾斜して形成され、一方の玉受け面１２ａの玉排出部１１側の下流端辺１３ａは他方の玉受け面１２ｂの玉排出部１１側の下流端辺１３ｂよりも低い位置に形成されている。玉受け部１０がこのように構成されているため、２つの玉受け面１２ａ，１２ｂで受け止められたパチンコ玉は玉排出部１１の上流端部１４に向けて流下した後、玉排出部１１の上流部近傍に落下する。このとき、下流端辺１３ａが低い位置に形成されている一方の玉受け面１２ａから落下するパチンコ玉の上方に覆いかぶさるように、下流端辺１３ｂが高い位置に形成されている他方の玉受け面１２ｂからパチンコ玉が落下する。このように、一方の玉受け面１２ａから落下するパチンコ玉と他方の玉受け面１２ｂから落下するパチンコ玉とでは、その流れの状態が異なっているため、それぞれの玉受け面１２ａ，１２ｂから玉排出部１１に落下するパチンコ玉が互いに及ぼす力が釣り合って停滞し、これによって玉詰まりしてしまうということがない。
【００１２】
また、玉受け面１２ａ，１２ｂで受け止められることなく、玉排出部１１で直接受け止められたパチンコ玉は、上記した玉受け面１２ａ，１２ｂから落下するパチンコ玉のような経路を辿って玉排出部１１へ誘導されるものではないため、玉受け面１２ａ，１２ｂから落下するパチンコ玉と干渉することがない。
【００１３】
このように、一方の玉受け面１２ａで受け止められたパチンコ玉，他方の玉受け面１２ｂで受け止められたパチンコ玉及び玉排出部１１で受け止められたパチンコ玉は、それぞれの経路を経て玉排出部１１に誘導され、一列に整列されながら玉排出部１１の下流側に向けてスムーズに転動していく。これにより、玉受け部１０で受け止めたパチンコ玉がたとえ多量であっても、パチンコ玉を玉受け部１０からスムーズに玉排出部１１へ誘導させると共に、玉排出部１１からスムーズにパチンコ玉回収樋へ排出させることができる。
【００１４】
請求項２に係る発明においては、玉受け部１０は平面視で円形状に形成されているため、玉受け部１０をその中心を回転軸として回転させ、玉排出部１１の配置位置を変更させた場合であっても、パチンコ玉を受け止める範囲が変化することがないばかりでなく、パチンコ玉が玉受け部１０内を弧を描きながら転動するため玉排出部１１に導かれ易く、また、意匠性にも優れている。
【００１５】
請求項３に係る発明においては、前記玉排出部１１の底部を構成する底面１７は、下流側が勾配の緩やかな緩勾配区間１９として形成されると共に、前記緩勾配区間１９の上流側が前記緩勾配区間１９よりも勾配が急な急勾配区間１８として形成されている。このため、玉排出部１１の下流側で玉詰まりを起こしている場合には、玉排出部１１の急勾配区間１８を速い速度で流下するパチンコ玉が玉詰まりを起こしているパチンコ玉に衝突することによる衝撃と振動によって玉詰まりを解消することができる。このように、玉排出部１１の下流側、より詳細には、後述する玉計数器３９で玉詰まりを起こしている場合には、この玉詰まりによってパチンコ玉が緩勾配区間１９に停滞することになるため、即ち、実質、緩勾配区間１９がないのも同然となり、急勾配区間１８を流下するパチンコ玉の速度があまり減速されることなく、玉詰まりをしているパチンコ玉に衝突して玉詰まりを解消し易くなる。一方、玉排出部１１の下流側で玉詰まりを起こしていない場合には、緩勾配区間１９にパチンコ玉が存在していないため、急勾配区間１８を流下してきたパチンコ玉は、緩勾配区間１９によってその流下速度が減速され、玉排出部１１からパチンコ玉を直下させる箇所でパチンコ玉が不規則に跳ね上がる等の現象が起きることがなく、パチンコ玉を玉排出部１１からスムーズに排出することができる。
【００１６】
以上のことより、玉排出部１１の下流側での玉詰まりを解消することができると同時に、パチンコ玉を玉排出部１１からスムーズに排出することができる。
【００１７】
請求項４に係る発明においては、玉受け部１０の円筒形状の外周壁１５の外周には、中心軸方向に段階的に伸縮する伸縮カバー１００が、前記玉受け部１０と同心円状に設けられている。これにより、パチンコ玉回収装置５を取り付けた状態によって、玉受け部１０とパチンコ機２の後面にあるアウト玉排出口３との間に間隔が生じる場合であっても、伸縮カバー１００をアウト玉排出口３に向けて伸ばして間隔を狭めることにより、アウト玉排出口３から排出されるアウト玉を玉受け部１０で確実に受け止めることができると共に、アウト玉以外の玉が玉受け部１０に飛び込むことを防止することができる。
【発明を実施するための最良の形態】
【００１８】
以下、図面を参照して本発明の実施形態について説明する。図１は、パチンコ機２の後面側下方に設置されているパチンコ玉回収装置５の斜視図であり、図２は、パチンコ玉回収装置５の玉受け部１０の拡大斜視図であり、図３は、パチンコ玉回収装置５の平面図であり、図４は、パチンコ玉回収装置５の側面図であり、図５は、パチンコ玉回収装置５の玉受け部１０でのパチンコ玉の流れを示す平面図であり、図６は、伸縮カバー１００を伸縮させた状態の側面図である。なお、以下の説明において、パチンコ機１の表面側を前面側、パチンコ機１の裏面側を後面側として説明する。
【００１９】
パチンコ島台１は、周知のように、直方体状に枠組み構成され、その長手方向両面に複数のパチンコ機２を背向列設するようになっているものであるが、図１においては、その一部のみを図示している。図１に示すように、パチンコ島台１に設置されたパチンコ機２の後面側下方の位置には、パチンコ機２で使用されてアウト玉排出口３から排出されたパチンコ玉を受け入れ、この受け入れたパチンコ玉をパチンコ島台１内のパチンコ玉回収樋（図示しない）に送るためのパチンコ玉回収装置５が設置されている。このパチンコ玉回収装置５は、後述する取付台４によってパチンコ島台１に取り付けられている。なお、パチンコ機２の後面側から排出されるパチンコ玉、即ち、アウト玉排出口３から排出されるパチンコ玉のことを、通称、「アウト玉」という。
【００２０】
次に、本発明の要部を構成するパチンコ玉回収装置５について図を参照して説明する。パチンコ玉回収装置５は、図１に示すように、主として、パチンコ島台１に設置されたパチンコ機の後面側から排出されたパチンコ玉を受け入れる円筒形状の玉受け部１０と、この玉受け部１０で受け入れたパチンコ玉を一列で転動させてパチンコ島台１内のパチンコ玉回収樋へ排出する玉排出部１１とから構成されている。この玉受け部１０と玉排出部１１とは、玉受け部１０で受け入れたパチンコ玉が玉排出部１１へ誘導されるように、玉排出部１１の上流側の所定の区間に亘って連通している。具体的には、図３で示すように、玉受け部１０のほぼ中央を玉排出部１１の上流側が横切るように位置し、玉受け部１０と玉排出部１１の上流側が一体となり、玉受け部１０だけの形状で見れば平面視でほぼ円形状に形成されている。
【００２１】
ここで、玉受け部１０について、図２を参照して説明すると、玉受け部１０は、上記したように平面視で円形状に形成されると共に、この玉受け部１０の底部を構成し且つ玉排出部１１の上流側の両側方にそれぞれ位置される２つの玉受け面１２ａ，１２ｂが設けられている。この玉受け面１２ａ，１２ｂの表面には、玉受け部１０で受け入れたパチンコ玉が大きく弾んで玉受け部１０の外へ飛び出さないように、低反発性部材４７が貼付されている。また、玉受け部１０の外周は、外周壁１５によって形成されている。そして、上記したように、玉排出部１１の上流側の一部が玉受け部１０と一体的に構成されており、玉受け部１０が全体として円筒状に形成されている。
【００２２】
このように、玉受け部１０が円筒状に形成されているため、玉受け部１０と玉排出部１１が一体となっていながら、玉受け部１０をその中心を回転軸として回転させた場合であってもパチンコ玉を受け止める範囲が変化しない、という円筒型のパチンコ玉回収装置５の特徴を活かすことができると共にパチンコ玉回収装置５の意匠性も高めることができる。
【００２３】
また、外周壁１５は、その一部が切り欠かれて玉排出部１１の下流側を外側へ突出させるための連通口４８として形成されており、この連通口４８は、玉排出部１１の後述する底面１７が挿通するものである。また、外周壁１５の上端部近傍には、後述する伸縮カバー１００を取り付けるための取付突起１６が３箇所に突設されている。
【００２４】
また、上記した２つの玉受け面１２ａ，１２ｂは、玉排出部１１の側方に向けて、即ち、玉排出部１１の中央部に向けて下り傾斜して形成されると共に、玉排出部１１の後述する上流端部１４に向けても下り傾斜して形成されている。また、２つの玉受け面１２ａ，１２ｂは、図３において、右側が玉受け面１２ａ、左側が玉受け面１２ｂとして形成され、その玉排出部１１側に位置する下流端がそれぞれ下流端辺１３ａ，１３ｂとして形成されている。そして、図２で示すように、下流端辺１３ａと下流端辺１３ｂとがほぼ平行に形成されると共に、下流端辺１３ａは下流端辺１３ｂよりも低い位置に形成されている。
【００２５】
また、玉受け部１０の裏面側には、図２に示すように、後述するスライドベース６０を玉受け部１０に取り付けるための底面部材２９が取り付けられている。この底面部材２９は、玉受け部１０の裏面側の形状と一致するように、ほぼ円盤形状に形成されるものであり、玉受け部１０に対して回転可能に取り付けられるものである。
【００２６】
次に、玉排出部１１について説明すると、玉排出部１１は、図３に示すように、玉受け部１０の外周壁１５の内面の一部を上流端部１４として直線形状に形成されるものである。上記したように、玉排出部１１の上流側の区間は、玉受け部１０と一体的に形成されるものであり、下流側の区間ではその側面が側壁２０として形成されている。また、玉排出部１１は、その底部が底面１７として形成されると共に、この底面１７の下流端には、パチンコ玉を略垂直に落下させるためのパチンコ玉落下口５７が形成されている。また、底面１７は、図３及び図４に示すように、下流側の所定の区間が勾配の緩やかな緩勾配区間１９（勾配４．５°）として形成されると共に、この緩勾配区間１９の上流側が緩勾配区間１９よりも勾配が急な急勾配区間１８（勾配８°）として形成されている。
【００２７】
このため、玉排出部１１の下流側で玉詰まりを起こしている場合には、玉排出部１１の急勾配区間１８を速い速度で流下するパチンコ玉が玉詰まりを起こしているパチンコ玉に衝突することによる衝撃と振動によって玉詰まりを解消することができる。このように、玉排出部１１の下流側、より詳細には、後述する玉計数器３９で玉詰まりを起こしている場合には、この玉詰まりによってパチンコ玉が緩勾配区間１９に停滞することになるため、即ち、実質、緩勾配区間１９がないのも同然となり、急勾配区間１８を流下するパチンコ玉の速度があまり減速されることなく、玉詰まりをしているパチンコ玉に衝突して玉詰まりを解消し易くなる。一方、玉排出部１１の下流側で玉詰まりを起こしていない場合には、緩勾配区間１９にパチンコ玉が存在していないため、急勾配区間１８を流下してきたパチンコ玉は、緩勾配区間１９によってその流下速度が減速され、玉排出部１１からパチンコ玉を直下させる箇所でパチンコ玉が不規則に跳ね上がる等の現象が起きることがなく、パチンコ玉を玉排出部１１からスムーズに排出することができる。
【００２８】
なお、本実施形態においては、緩勾配区間１９は、パチンコ玉落下口５７の中心から上流側に向けてパチンコ玉の直径の５〜６倍の長さで形成されている。これにより、玉排出部１１の下流側で玉詰まりを起こしている場合に、緩勾配区間１９に約５〜６個までのパチンコ玉が停滞して緩勾配区間１９が適度な距離に短くなるため、急勾配区間１８を流下してきたパチンコ玉の流下速度を減速させることなく、停滞しているパチンコ玉に適切な衝撃力で衝突させることができる。一方、玉排出部１１の下流側で玉詰まりを起こしていない場合には、急勾配区間１８を流下してきたパチンコ玉の速度を十分に減速させることができるため、玉排出部１１からパチンコ玉を直下させる箇所でパチンコ玉が不規則に跳ね上がる等の現象が起きることなく、パチンコ玉を玉排出部１１からスムーズに排出することができる。
【００２９】
また、図２に示すように、底面１７は玉受け部１０の玉受け面１２ａ，１２ｂよりも低い位置に形成されているため、玉受け部１０から玉排出部１１へのパチンコ玉の誘導の際に、パチンコ玉が玉受け部１０から玉排出部１１へ落下することとなるため、よりスムーズにパチンコ玉を玉受け部１０から玉排出部１１へ誘導することができる。
【００３０】
また、玉排出部１１の下流側であって、上記した緩勾配区間１９にほぼ対応する位置は、図１に示すように、パチンコ玉回収装置５から排出されるパチンコ玉を検出する玉計数器３９を取り付けるための部材取付部４９として形成されている。この部材取付部４９には、玉計数器３９が挿入された取付部材３７が取付ネジ（図示しない）によって取り付けられ、これにより、パチンコ玉回収装置５に玉計数器３９が取り付けられることとなる。
【００３１】
本実施形態にかかるパチンコ玉回収装置５は、上記のように構成されるものであるが、次に、アウト玉排出口３から排出されて上記したパチンコ玉回収装置５によって受け止められたパチンコ玉の流れについて、図５を参照して説明する。
【００３２】
前述のように、パチンコ玉回収装置５の上方にはアウト玉排出口３が位置しているが、例えば、図５に示すように玉受け部１０の中心とアウト玉排出口３の中心がほぼ一致し、アウト玉排出口３が横長の状態で位置しているような場合、アウト玉排出口３の右側方（図中、Ａで表示）から排出されるパチンコ玉は一方の玉受け面１２ａで受け止められ、アウト玉排出口３の左側方（図中、Ｂで表示）から排出されるパチンコ玉は他方の玉受け面１２ｂで受け止められ、アウト玉排出口３の中央部付近（図中、Ｃで表示）から排出されるパチンコ玉は玉排出部１１によって受け止められる。
【００３３】
ここで、玉受け面１２ａ，１２ｂは、前述のように玉排出部１１の側方に向けて下り傾斜して形成されると共に、玉排出部１１の上流端部１４に向けても下り傾斜して形成されるものである。このため、上記のように玉受け面１２ａ，１２ｂで受け止められたパチンコ玉は、上流端部１４に向けて玉受け面１２ａ，１２ｂ上を流下した後、玉排出部１１の上流部（図中、Ｄで表示）近傍に落下する。
【００３４】
また、前述のように、玉受け面１２ａに形成される下流端辺１３ａは、玉受け面１２ｂに形成される下流端辺１３ｂよりも低い位置に形成されるものである。このため、パチンコ玉が玉受け面１２ａ，１２ｂから玉排出部１１の上流部近傍に落下する際、玉受け面１２ａから落下するパチンコ玉の上方に覆いかぶさるように、玉受け面１２ｂからパチンコ玉が落下する。このように、玉受け面１２ａから落下するパチンコ玉と玉受け面１２ｂから落下するパチンコ玉とでは、その流れの状態が異なっているため、それぞれの玉受け面１２ａ，１２ｂから玉排出部１１に落下するパチンコ玉が互いに及ぼす力が釣り合って停滞し、これによって玉詰まりしてしまうということがない。
【００３５】
一方、前述したアウト玉排出口３の中央部付近から排出されたパチンコ玉は、玉排出部１１によって直接受け止められるものであり、上記した玉受け面１２ａ，１２ｂから玉排出部１１の上流部近傍に落下するパチンコ玉のような経路を辿って玉排出部１１へ誘導されるものではないため、玉受け面１２ａ，１２ｂから落下するパチンコ玉と干渉することがない。
【００３６】
このように、一方の玉受け面１２ａで受け止められたパチンコ玉，他方の玉受け面１２ｂで受け止められたパチンコ玉及び玉排出部１１で受け止められたパチンコ玉は、それぞれの経路を経て玉排出部１１に誘導され、一列に整列されながら玉排出部１１の下流側に向けてスムーズに転動していく。これにより、玉受け部１０で受け止めたパチンコ玉がたとえ多量であっても、玉受け部１０からスムーズに玉排出部１１へ誘導させると共に、玉排出部１１からパチンコ玉をスムーズにパチンコ玉回収樋へ排出させることができる。
【００３７】
次に、上記したパチンコ玉回収装置５をパチンコ機２に対して前後方向にスライド移動させるための前後スライド機構と、パチンコ機２に対して左右方向にスライド移動させるための左右スライド機構と、について説明する。即ち、本実施形態に係るパチンコ玉回収装置５には、パチンコ機２の左右方向に略平行に設置される取付部４と、パチンコ玉回収装置５を取付部４に取り付けるための本体ベース５０と、この本体ベース５０に対してパチンコ玉回収装置５を前後方向にスライド移動させる前後スライド機構と、取付部４に対してパチンコ玉回収装置５が取り付けられた本体ベース５０を左右方向にスライド移動させる左右スライド機構と、が備えられている。
【００３８】
しかして、前後スライド機構は、主に、本体ベース５０の上部に形成された後述する第１スライド部５１と、玉受け部１０の底面部材２９に形成された後述する第２スライド部（図示しない）と、後述するスライドベース６０に形成され第１スライド部５１と第２スライド部の両方が係合するスライドガイド部６１と、から構成されるものであり、以下にその詳細を説明する。なお、左右スライド機構に関しては、前後スライド機構の説明の後で説明を行う。
【００３９】
まず、本体ベース５０は、図２に示すように、縦断面視がほぼコ字状に形成され、その上面側の長手方向（左右方向）ほぼ中央には、スライドベース６０が設置されるスライドベース設置部５８が形成されると共に、内側面上部には後述する摺動ガイド板８２の摺動凸部８３上を摺動する摺動突起５４が長手方向に亘って２箇所突設されている。また、上面の長手方向の両側方には、本体ベース５０を後述する取付ベース８０に取り付けて位置決めするための位置決め穴５５が穿設されている。
【００４０】
上記したスライドベース設置部５８の両側方には、スライドベース６０のスライドガイド部６１に係合する第１スライド部５１が突設されている。この第１スライド部５１は、下方から上方にかけて徐々にその突出寸法が大きくなる断面三角形状に形成されるものである。
【００４１】
次に、スライドベース６０は、その全体は図示しないが、ほぼ長方形で平板状に形成されるものである。また、スライドベース６０の両側面には、第１スライド部５１と第２スライド部が係合するスライドガイド部６１が形成されている。このスライドガイド部６１は、中心に向けて徐々にその深さが深くなる断面Ｖ字形状に形成されるものである。
【００４２】
次に、玉受け部１０に取り付けられる底面部材２９は、図２に示すように、その裏面側のほぼ中央に前後方向に亘って、スライドベース６０が設置されるスライドベース設置部６９が形成されている。このスライドベース設置部６９の内側の両側面には、スライドベース６０のスライドガイド部６１に係合する第２スライド部（図示しない）が突設されている。この第２スライド部は、下方から上方にかけて徐々にその突出寸法が大きくなる断面三角形状に形成されるものである。
【００４３】
しかして、玉受け部１０，本体ベース５０及びスライドベース６０を組み立てるには、まず、スライドベース６０を本体ベース５０のスライドベース設置部５８の後面側から挿入するように設置することにより、スライドベース６０のスライドガイド部６１に第１スライド部５１を係合させる。次に、同じくスライドベース６０を底面部材２９のスライドベース設置部６９の後面側から挿入するように設置することにより、スライドベース６０のスライドガイド部６１に第２スライド部を係合させる。これにより、本体ベース５０及びスライドベース６０がパチンコ玉回収装置５（玉受け部１０）に組み付けられる。
【００４４】
上記のようにして組み立てられたパチンコ玉回収装置５の前後スライド機構によって、スライドガイド部６１を第１スライド部５１に沿って摺動させることにより、スライドベース６０が前面側に向けて本体ベース５０上をスライド移動する。また、第２スライド部をスライドガイド部６１に沿って摺動させることにより、パチンコ玉回収装置５が前面側に向けてスライドベース６０上をスライド移動する。
【００４５】
即ち、玉受け部１０が本体ベース５０に対し、前面側に向けて２段階でスライド移動するため、たとえ、前後スライド機構の前後方向の寸法を小さく抑えても、玉受け部１０を前面側に向けて十分に移動させることができる。また、前後スライド機構の前後方向の寸法を抑えることにより、前後スライド機構が玉受け部１０の裏面側に上方から見て隠れやすくなるため、前後スライド機構を備えたパチンコ玉回収装置５の全体を見たときに、円筒状の玉受け部１０という優れた意匠性を損なうことがない。
つまり、意匠性を損なうことなく、玉受け部１０を所望の位置に移動させることができる前後スライド機構をパチンコ玉回収装置１に設けることが可能となる。
【００４６】
また、スライドベース６０は、スライドガイド部６１を第１スライド部５１に沿って摺動させることにより、後面側に向けて本体ベース５０上をスライド移動する。
これにより、玉受け部１０が本体ベース５０に対し、後面側に向けてスライド移動するため、例えば、パチンコ機２を新台に入れ替えるとき等に、玉受け部１０が干渉して入替作業に支障を来たすようなことがない。また、後面側に向けてのスライド移動は、パチンコ機２の前面側に向けてのスライド移動と異なり１段階でのスライド移動であるため、必要以上の距離に亘ってスライド移動することがなく、対面側に設置されたパチンコ玉回収装置５の玉受け部１０と干渉することを防止できる。
【００４７】
上記したように、パチンコ玉回収装置５は、前後スライド機構によってパチンコ機２の前後方向で移動可能に構成されているが、左右スライド機構によってパチンコ島台１に備えられた取付台４に対して、パチンコ機２の左右方向にも移動することができる。そこで、次に、この左右スライド機構の構成について説明する。
【００４８】
しかして、左右スライド機構は、主に、側面視及び縦断面視が略コの字状に形成され上方にパチンコ玉回収装置５が設置される本体ベース５０と、この本体ベース５０の略コの字状の形状に嵌合し、本体ベース５０が上面部を摺動する取付部４の上面部を覆うほぼ平板状の摺動ガイド板８２と、から構成されるものであり、以下にその詳細を説明する。
【００４９】
取付台４は、図１で示すように、パチンコ機２の左右方向で長尺な箱形状に形成されるものであり、図２に示すように、主として、パチンコ島台１に直接取り付けられる取付ベース８０と、その上面部をパチンコ玉回収装置５が移動する摺動ガイド板８２と、から構成されている。
【００５０】
取付ベース８０は、上方が開口した箱形状に形成されており、その内部には、後述する固定部材（図示しない）が摺動する摺動溝（図示しない）が長手方向に亘って形成されている。また、摺動ガイド板８２は、ほぼ平板状に形成されるものであり、その中央には、後述する位置決めネジ５６が挿通される挿通溝８４が長手方向に亘って形成されると共に、この挿通溝８４の両側方であって摺動ガイド板８２の上面には、パチンコ玉回収装置５を備えた本体ベース５０を当接させたときに、本体ベース５０内側の摺動突起５４が当接する摺動凸部８３が長手方向に亘って形成されている。
【００５１】
また、上記のように、取付ベース８０の摺動溝内を固定部材が摺動できるようになっているが、この固定部材は、六角柱形状に形成されるものであり、その軸中心に位置決めネジ（図示しない）が螺着する固定ネジ穴（図示しない）が穿設されると共に、その側壁が摺動溝の側壁と当接する摺動面（図示しない）として形成されている。
【００５２】
しかして、取付台４を組み立てると共にパチンコ玉回収装置５を取り付けるには、取付ベース８０の摺動溝に固定部材を挿入した後、取付ネジ８６によって摺動ガイド板８２を取付ベース８０に取り付ける。そして、本体ベース５０の位置決め穴５５及び摺動ガイド板８２に挿通した位置決めネジ５６を固定部材の固定ネジ穴に螺着する。これにより、図１に示すように、取付台４が組み立てられると共に、本体ベース５０が取付台４に取り付けられる。このとき、位置決めネジ５６を時計回りに回転させることにより固定部材が上方に移動し、固定部材の上面が摺動ガイド板８２の下面と当接することとなる。このように、位置決めネジ５６を締め付けることにより、固定部材と本体ベース５０とで摺動ガイド板８２が挟持されるため、本体ベース５０、即ち、パチンコ玉回収装置５が取付台４に対して固定されることとなる。なお、取付台４は、固定ネジ（図示しない）によってパチンコ島台１に対して取り付けられる。
【００５３】
上記のようにして組み立てられたパチンコ玉回収装置５の左右スライド機構は、パチンコ玉回収装置５の位置を左右方向に移動させる場合には、位置決めネジ５６を弛めて摺動ガイド板８２の挟持を解除する。摺動ガイド板８２の挟持を解除することにより、パチンコ玉回収装置５が備えられた本体ベース５０が移動可能になるため、パチンコ玉回収装置５を所望の位置に移動させ、再び位置決めネジ５６を締め付けることにより、パチンコ玉回収装置５を任意の位置で固定することができる。
【００５４】
以上、パチンコ玉回収装置５の前後及び左右スライド機構の構成等について説明したが、次に、パチンコ玉回収装置５の玉受け部１０に取り付けられ、対応するパチンコ機１から排出されるアウト玉以外のパチンコ玉が玉受け部１０に入ることを防止するための伸縮カバー１００について簡単に説明する。
【００５５】
伸縮カバー１００は、図６に示すように、玉受け部１０の円筒形状の外周壁１５の外周に玉受け部１０と同心円状に設けられるものである。そして、径の異なる複数の円筒形状の部材である第１カバー部材１０１，第２カバー部材１０２，第３カバー部材１０３を、同心円状に重ねることにより構成されると共にその中心軸方向に段階的に伸縮するものである。
【００５６】
この伸縮カバー１００は、第１カバー部材１０１を第２カバー部材１０２の上方からその内側に挿入して固定した後、この第１カバー部材１０１が固定された第２カバー部材１０２を第３カバー部材１０３の上方からその内側に挿入して固定することにより組み立てられるものである。この第１カバー部材１０１の第２カバー部材１０２に対する固定は、第１カバー部材１０１を第２カバー部材１０２に挿入した後、第１カバー部材１０１を時計方向に回転させ、第２カバー部材１０２に形成された突起（図示しない）を第１カバー部材１０１に形成された第１嵌合溝（図示しない）に嵌合させることにより行なう。また、第２カバー部材１０２の第３カバー部材１０３に対する固定は、同様に、第２カバー部材１０２を第３カバー部材１０３に挿入した後、第２カバー部材１０２を時計方向に回転させ、第３カバー部材１０３に形成された突起（図示しない）を第２カバー部材１０２に形成された第１嵌合溝（図示しない）に嵌合させることにより行なう。そして、このように組み立てられた伸縮カバー１００は、玉受け部１０に形成された取付突起１６によって、図６（Ａ）に示すように玉受け部１０に対して取り付けられる。
【００５７】
次に、上記した伸縮カバー１００が縦方向で縮められた図６（Ａ）に示す状態から、図６（Ｂ）に示すような縦方向で伸ばした状態にするには、まず、第３カバー部材１０３を第２カバー部材１０２に対して時計方向に回転させ、上記した第３カバー部材１０３の突起を第２カバー部材１０２の第１嵌合溝から外す。突起を第１嵌合溝から外した後、第３カバー部材１０３を上方に移動させる。この状態で第３カバー部材１０３を第２カバー部材１０２に対して反時計方向に回転させることにより、第３カバー部材１０３の突起を第２カバー部材１０２の第２嵌合溝（図示しない）に嵌合させる。これにより第３カバー部材１０３が第２カバー部材１０２に対して伸ばされた状態で固定される。
【００５８】
同様に、第２カバー部材１０２を第１カバー部材１０１に対して時計方向に回転させ、上記した第２カバー部材１０２の突起を第１カバー部材１０１の第１嵌合溝から外す。突起を第１嵌合溝から外した後、第２カバー部材１０２を上方に移動させる。この状態で第２カバー部材１０２を第１カバー部材１０１に対して反時計方向に回転させることにより、第２カバー部材１０２の突起を第１カバー部材１０１の第２嵌合溝（図示しない）に嵌合させる。これにより、第２カバー部材１０２が第１カバー部材１０１に対して伸ばされた状態で固定される。以上により、図６（Ｂ）に示すように、伸縮カバー１００が縦方向で伸ばされた状態となる。
【００５９】
上記したように、玉受け部１０の円筒形状の外周壁１５の外周には、中心軸方向に段階的に伸縮する伸縮カバー１００が、玉受け部１０と同心円状に設けられているため、パチンコ玉回収装置５を取り付けた状態によって、玉受け部１０とパチンコ機１の裏面にあるアウト玉排出口３との間に間隔が生じる場合であっても、伸縮カバー１００をアウト玉排出口３に向けて伸ばして間隔を狭めることにより、アウト玉排出口３から排出されるアウト玉を玉受け部１０で確実に受け止めることができると共に、アウト玉以外の玉が玉受け部１０に飛び込むことを防止することができる。
【００６０】
また、上記した本実施形態においては、玉受け部１０と玉排出部１１とを一体成型により、一体的に形成したものを示したが、これに限らず、本発明の技術思想から逸脱しないものであれば、玉受け部１０と玉排出部１１とを個別に成型して接続する構成のものであってもよい。
【００６１】
また、上記した本実施形態においては、玉受け部１０の傾斜底面１２に低反発性部材４７を貼付したものを示したが、これに限らず、無反発性部材が貼付されているものであってもよい。
【００６２】
また、上記した本実施形態においては、玉受け部１０が設置される遊技機としてパチンコ機２を示したが、これに限らず、パチンコ玉を使用する遊技機であれば、例えば、パロット，雀球等の遊技機であってもよい。
【図面の簡単な説明】
【００６３】
【図１】パチンコ機の後面側下方に設置されているパチンコ玉回収装置の斜視図である。
【図２】パチンコ玉回収装置の玉受け部の拡大斜視図である。
【図３】パチンコ玉回収装置の平面図である。
【図４】パチンコ玉回収装置の側面図である。
【図５】パチンコ玉回収装置の玉受け部でのパチンコ玉の流れを示す平面図である。
【図６】伸縮カバーを伸縮させた状態の側面図である。
【符号の説明】
【００６４】
１  パチンコ島台
２  パチンコ機
５  パチンコ玉回収装置
１０  玉受け部
１１  玉排出部
１２ａ，１２ｂ  玉受け面
１３ａ，１３ｂ  下流端辺
１４  上流端部
１５  外周壁
１７  底面
１８  急勾配区間
１９  緩勾配区間
３９  玉計数器
１００  伸縮カバー
【図１】
2005323713.tif 000003
【図２】
2005323713.tif 000004
【図３】
2005323713.tif 000005
【図４】
2005323713.tif 000006
【図５】
2005323713.tif 000007
【図６】
2005323713.tif 000008